(57)【要約】【課題】研究施設を用途とする建物に適用して好適な有効適切な架構システムを提供する。【解決手段】スラブ５上に間隔をおいて床９を設置して該床と前記スラブとの間を配管スペースとして利用可能とし、スラブ下に間隔をおいて下階の天井８を設置して該天井と前記スラブとの間をダクトスペースとして利用可能とする。両方向の梁のうち一方向の梁（桁行方向の大梁３）の少なくとも一部を逆梁としてその上端レベルを少なくとも床と同レベルないしそれよりも上方位置とし、逆梁の下端レベルを他方向の梁（梁間方向の大梁２）の下端レベルよりも上方位置として該逆梁の下端と前記天井との間をダクト７が通過可能とする。【選択図】図１
2012117261.tif 000002
【特許請求の範囲】
【請求項１】
柱間に縦横両方向の梁を架設して該梁によりスラブを支持してなる建物の架構システムであって、
前記スラブ上に間隔をおいて床を設置して該床と前記スラブとの間を配管スペースとして利用可能とし、
前記スラブ下に間隔をおいて下階の天井を設置して該天井と前記スラブとの間をダクトスペースとして利用可能とし、
前記縦横両方向の梁のうち一方向の梁の少なくとも一部を逆梁として設置して該逆梁の上端レベルを少なくとも前記床と同レベルないしそれよりも上方位置とするとともに、該逆梁の下端レベルを他方向の梁の下端レベルよりも上方位置として該逆梁の下端と前記天井との間を前記ダクトスペース内に設置されるダクトが通過可能としたことを特徴とする建物の架構システム。
【発明の詳細な説明】
【技術分野】
【０００１】
本発明は建物の構造に関わり、特にたとえば研究施設を用途とする建物に適用して好適な架構システムに関する。
【背景技術】
【０００２】
研究施設を用途とする建物の架構システムの一例を図３に示す。
これは、柱１間に縦横両方向の梁を架設したものであって、梁間方向（図示例では紙面に並行な方向）に大梁２を架設するとともに桁行方向（同、紙面に直交する方向）に大梁３と小梁４を架設し、それらの梁によって各階の床架構としてのスラブ５を支持することを基本とするものである。図示例では、上記各梁をいずれも鉄骨梁としており、梁間方向の大梁２と桁行方向の大梁３の梁成はほぼ同等としている。
【０００３】
ところで、研究施設を用途とする建物では室内に設置される各種の機器６にダクト７を接続する場合も多いことから、通常は図示しているように天井８を設けてダクト７を隠蔽するようにしている。
その場合、大梁２、３の下端と天井８との間にダクト７を通過させるための間隔を確保する必要があるから、室内の天井高ｈは大梁２、３の位置がネックとなって決定される。図示例の建物では、所要の天井高ｈと、大梁２，３の梁成およびスラブ５の厚さ相当分のスペース（梁成にスラブ厚を含む場合もある）と、大梁２，３の下端と天井８との間に確保するべき所望のダクトスペースとの総和として階高Ｈを決定する必要があり、そのようなダクトスペースを確保する必要から結果的に他の用途の建物に比較して階高Ｈを大きくしなければならない場合も多い。
【０００４】
なお、大梁２，３に梁貫通孔を設けてそこにダクト７を貫通させることが可能であれば、大梁２，３の梁成の範囲内にダクトスペースを確保できるので天井高ｈや階高Ｈを抑制することも可能であるが、構造上の制約から梁貫通孔の大きさには自ずと限界があるのでダクト７が大断面である場合には対応できないことが多い。
【０００５】
また、たとえば特許文献１に示される逆梁二重床構造のように大梁２，３を逆梁とすることによっても、ダクトとの干渉を回避して階高を抑制しつつ天井高を大きく確保することが可能となる。
【先行技術文献】
【特許文献】
【０００６】
【特許文献１】特開平１０−７２９０５号公報
【発明の概要】
【発明が解決しようとする課題】
【０００７】
上述のように階高を抑制するための手法として逆梁を採用することは有効と考えられるが、特許文献１に示される構造は集合住宅に特有の形態であって一般的な建物に対してそのまま適用することは好ましくない場合もあり、現実的ではない。
【０００８】
上記事情に鑑み、本発明は集合住宅のみならず各種用途の建物に適用可能であり、特に研究施設を用途とする建物に適用して好適な架構システムを提供することを目的とする。
【課題を解決するための手段】
【０００９】
本発明は、柱間に縦横両方向の梁を架設して該梁によりスラブを支持してなる建物の架構システムであって、前記スラブ上に間隔をおいて床を設置して該床と前記スラブとの間を配管スペースとして利用可能とし、前記スラブ下に間隔をおいて下階の天井を設置して該天井と前記スラブとの間をダクトスペースとして利用可能とし、前記縦横両方向の梁のうち一方向の梁の少なくとも一部を逆梁として設置して該逆梁の上端レベルを少なくとも前記床と同レベルないしそれよりも上方位置するとともに、該逆梁の下端レベルを他方向の梁の下端レベルよりも上方位置として該逆梁の下端と前記天井との間を前記ダクトスペース内に設置されるダクトが通過可能としたことを特徴とする。
【発明の効果】
【００１０】
本発明の架構システムによれば、一方向の梁のみを逆梁とすることによりその下方に所望の天井高とダクトスペースを確保しつつ階高を抑制することが可能となる。また、スラブ上に床を設けることにより床面に段差が生じることはないし、配管スペースとして利用可能な二重床空間を確保することができる。
【図面の簡単な説明】
【００１１】
【図１】本発明の実施形態である架構システムの概要を示す図である。
【図２】同、要部の拡大図である。
【図３】従来の架構システムの一例を示す図である。
【発明を実施するための形態】
【００１２】
本発明の実施形態である架構システムを図１〜図２に示す。
これは図３に示したものと同様に研究施設を用途とする建物の架構システムであって、基本的には柱１間に梁間方向の大梁２と桁行方向の大梁３および小梁４を架設してそれら各梁によってスラブ５を支持するものであるが、桁行方向の大梁３の少なくとも一部を逆梁の形態で設けたことを主眼とする。
【００１３】
すなわち、本実施形態では、梁間方向の大梁２および桁行方向の小梁４は通常の順梁としてその上部の上フランジに対してスラブ５を接合しているが、桁行方向の大梁３の一部（図示例では梁間方向の外周大梁となっているもの）は逆梁として梁間方向の大梁２や桁行方向の小梁４よりも高い位置に配置し、その腹部（ウェブ側面）に対してスラブ５を接合している。
具体的な一例としては、たとえば図２に示すように大梁３の梁成が800mm、スラブ５の厚さが150mmの場合にあっては、大梁３の上端のレベルをスラブ５の上面のレベルより300mm程度高くなるようにすれば良く、この場合は大梁３の上部が300mm程度スラブ５の上方に突出し、大梁３の下部が350mm程度スラブ５の下方に突出することになる。
【００１４】
そして、本実施形態では、逆梁とした桁行方向の大梁３の上端のレベルに床９を設置し、その床９とスラブ５との間に配管スペース１０として利用可能な二重床空間を確保している。
また、逆梁とした大梁３の下方には従来と同様に下階の天井８を設置するが、その天井８と大梁３の下端との間にはダクト７を挿通可能なダクトスペース１３を確保し、したがってダクト７はその大梁３の下方を支障なく通過し得るものとなっている。
【００１５】
本実施形態の架構システムによれば、桁行方向の大梁３を逆梁としてその大梁３を図３に示したような従来一般の架構システムの場合よりも上方に偏位させたことにより、下階の天井８内に設置するダクト７の全体を大梁３と干渉することなく上方に偏位させることができる。
したがって階高Ｈが従来と同等であれば大梁３の下方に所望のダクトスペース１３を確保しつつ天井高ｈを大きく確保できるし、あるいは所望の天井高ｈを確保したうえで階高Ｈを小さくすることが可能となる。
【００１６】
しかも、逆梁とした大梁３の上端のレベルに床９を設けることにより床面に段差が生じることはないし、配管スペース１０として利用可能な二重床空間を確保できるので、ダクト７のみならず管路１１の敷設についてもフレキシビリティを十分に向上させることができ、研究施設を用途とする建物の架構システムとして好適である。
【００１７】
なお、図示例では、逆梁とした大梁３のウェブの上部に、配管スペース１０内に敷設した各種の管路１１を挿通させるための梁貫通孔１２を形成しており、それによりスラブ５上で管路１１を自由に配管し得るものとなっている。この種の管路１１の径はせいぜい50〜100mmφ程度であるので、大梁３に対してその程度の梁貫通孔１２を設けることは特に支障はないが、梁貫通孔１２を設けることができないような場合には、必要に応じて管路１１を大梁３の手前でスラブ５を貫通させて下階のダクトスペース１３に導き、そこで横引きして大梁３の下方を通過させれば良い。
【００１８】
以上で本発明の一実施形態について説明したが、上記実施形態はあくまで好適な一例であって本発明は上記実施形態に限定されるものでは勿論なく、たとえば以下に列挙するような適宜の設計的変更や応用が可能である。
【００１９】
たとえば、上記実施形態では梁間方向の大梁２を順梁として桁行方向の大梁３を逆梁としたが、逆に桁行方向の大梁３を順梁として梁間方向の大梁２を逆梁とすることでも同様である。いずれにしても、桁行方向あるいは梁間方向の大梁の全てを逆梁とすることはなく、ダクトとの干渉を回避する必要のあるもののみを逆梁として他は通常の順梁とするか、あるいは必要であれば偏平梁とする等の変更は任意である。
また、上記実施形態では小梁４を桁行方向にのみ設けたが、小梁４は省略することも可能であるし、あるいは小梁４を桁行方向に設けることに代えて、あるいはそれに加えて梁間方向にも設けたり、必要であれば小梁４も逆梁とする等の変更も任意である。
さらに、上記実施形態では逆梁とした大梁３の腹部にスラブ５に接合してその逆梁の上下をそれぞれスラブ５の上下に突出させるようにし、床９のレベルを逆梁の上端のレベルに設定したが、スラブや他方向の梁に対する逆梁のレベル設定は任意であって、特許文献１に示されるような通常の形態の逆梁のようにその下端にスラブ５を接合して逆梁全体をスラブ５上に腰壁のように突出させることでも良く、その場合には床９のレベルを逆梁のレベルとは関わりなく自由に設定して所望の配管スペース１０を確保すれば良い。
【００２０】
さらになお、本発明は上記実施形態のように天井部と床部の双方に対してダクト８や管路１１を設置することが通常である研究施設を用途とする建物に適用することが好適であるが、本発明はそれに限定されることなく各種用途の建物全般に広く適用できることは当然であるし、建物の構造形式や規模、形態についても、本発明の要旨を逸脱しない範囲内であれば特に限定されるものではない。
【符号の説明】
【００２１】
１  柱
２  大梁（梁間方向の梁、順梁）
３  大梁（桁行方向の梁、逆梁）
４  小梁
５  スラブ
６  機器
７  ダクト
８  天井
９  床
１０  配管スペース
１１  管路
１２  梁貫通孔
１３  ダクトスペース
【図１】
2012117261.tif 000003
【図２】
2012117261.tif 000004
【図３】
2012117261.tif 000005